(57)【要約】【課題】  画像読み取りおよび画像記録を行なう画像処理装置において、画像読み取りと画像記録をバランスよく制御し、記録品質を低下させることなく消費電力を低減でき、動作に必要な電源容量を削減し、装置の低価格化あるいは小型軽量化を実現する。【解決手段】  共通の電源部１２０を共有する画像読み取り系（１１６、１１７）と画像記録系（１１４、１１５）を含むマルチファンクションプリンタで、記録すべき画像データの記録密度の検出結果としきい値を比較し、記録密度がしきい値より大きい場合に記録消費電力低減処理を行なう。画像記録と画像読み取りが同時実行の場合は、しきい値を同時実行でない場合に用いる第１の値からより小さい第２の値に変更する。記録消費電力低減処理では、第２の値のしきい値で起動される場合、第１の値のしきい値で起動される場合より記録消費電力がより小さくなるよう制御する。【選択図】  図１
2006109280.tif 000002
【特許請求の範囲】
【請求項１】
共通の電源部の電源供給により動作する画像読み取り手段と画像記録手段を含む画像処理装置の制御方法において、
前記画像記録手段で記録すべき画像データの記録密度を検出し、
前記の記録密度の検出結果と、所定のしきい値との比較結果に応じて、前記記録密度の検出結果が前記しきい値より大きい場合に画像記録手段の記録消費電力を低減させる記録消費電力低減処理を実行させ、
前記画像記録手段による画像記録中に前記画像読み取り手段による画像読み取りが同時に実行される場合は、前記しきい値を前記画像読み取り手段による画像読み取りが同時に実行されない場合に用いる第１の値からより小さい第２の値に変更し、記録消費電力がより小さくなるよう制御することを特徴とする画像処理装置の制御方法。
【請求項２】
請求項１に記載の画像処理装置の制御方法において、前記第２の値をしきい値として起動される前記記録消費電力低減処理において、前記第１の値をしきい値として起動される前記記録消費電力低減処理よりも記録消費電力がより小さくなるよう制御することを特徴とする画像処理装置の制御方法。
【請求項３】
請求項１に記載の画像処理装置の制御方法において、前記画像データの記録密度の検出および前記しきい値との比較を１記録走査分の記録領域を複数に分割して得られるブロックの１つを単位として行ない、１記録走査中に前記記録密度の検出結果が前記しきい値より大きいブロックが１ブロックでも検出された場合、前記記録消費電力低減処理を実行することを特徴とする画像処理装置の制御方法。
【請求項４】
請求項１に記載の画像処理装置の制御方法において、前記記録消費電力低減処理を記録データの間引き率の変更によって行なうことを特徴とする画像処理装置の制御方法。
【請求項５】
請求項１に記載の画像処理装置の制御方法において、前記記録消費電力低減処理を被記録媒体上の同一領域の記録走査回数の変更によって行なうことを特徴とする画像処理装置の制御方法。
【請求項６】
請求項１に記載の画像処理装置の制御方法において、前記記録消費電力低減処理を前記記録手段に含まれる複数モータの同時駆動数を減らすことによって行なうことを特徴とする画像処理装置の制御方法。
【請求項７】
請求項１に記載の画像処理装置の制御方法において、前記記録消費電力低減処理をより低消費電力な所定の印刷モードへの切り換えによって行なうことを特徴とする画像処理装置の制御方法。
【請求項８】
請求項１から７までのいずれか１項に記載の画像処理装置の制御方法を実施する、共通の電源部の電源供給により動作する画像読み取り手段と画像記録手段を含む画像処理装置。
【請求項９】
請求項１から７までのいずれか１項に記載の画像処理装置の制御方法を実施すべく、画像処理装置の共通の電源部の電源供給により動作する画像読み取り手段と画像記録手段を制御する画像処理装置の制御プログラム。
【発明の詳細な説明】
【技術分野】
【０００１】
本発明は、共通の電源部の電源供給により動作する画像読み取り手段と画像記録手段を含む画像処理装置の制御方法、画像処理装置、および画像処理装置の制御プログラムに関するものである。
【背景技術】
【０００２】
近年、パーソナルコンピュータ、デジタルカメラ等の普及に伴い、ディジタル画像を記録するプリンタ等の記録装置の高精細化が進んでいる。記録装置の中でもインクジェット方式の記録ヘッドを用いたインクジェット記録装置は急速に普及しており、高精細な画像を記録でき、且つ低価格なものが求められている。
【０００３】
近年、インクジェットプリンタの画質は、銀塩写真に対しても遜色ないレベルに到達しつつあり、プリンタに他の機能を合わせ付加価値を高めた複合印刷機（マルチファンクションプリンタ）の需要が高まってきている。この需要の高まりは、複合印刷機が低価格になってきている事が大きな要因となっている。
【０００４】
一方、従来より、プリンタにおいて記録データに応じて記録動作の制御を行なう技術が知られている。たとえば、必要な電源容量を削減する、あるいは電源装置（電源回路）のコストダウンなどの目的で、たとえば、記録デューティ（記録デューティー比あるいは記録密度などとも呼ばれるもので、たとえば記録ヘッドを駆動する画素と記録ヘッドを駆動しない画素数の比などから求めることができる）を検出し、あらかじめ設定されたデューティ設定値と比較して、記録動作を変更、たとえば画素の間引きなどを行なう技術が知られている（下記の特許文献１および２）。
【特許文献１】特開平８−２５２９３８号公報
【特許文献２】特開平５−１６９６８１号公報
【発明の開示】
【発明が解決しようとする課題】
【０００５】
上記の複合印刷機の主な機能は、プリンタ、スキャナ、コピー（あるいはさらにファクシミリなどの通信機能）であり、複合印刷機１台あれば大概の事務処理が可能となる。図２に示すように、この種のマルチファンクションプリンタ２００はプリンタ機構部２０２の上部にスキャナ機構部２０１を配置して構成されるものが多い。
【０００６】
旧来では、この種の複合印刷機はオフィス用などの製品が多く、設定価格も高めだったので、たとえば電源部の製造コストの制約は比較的緩く、画像読み取り動作と印刷動作が同時の場合でも電源供給しうる電源を使用しているものが多かった。このため、たとえば画像読み取り動作時と非動作時で電源の負荷の理由から印刷モード（記録モード）等を変える、といった特別な制御は行なわれていなかった。
【０００７】
しかしながら、近年になって、複合印刷機（マルチファンクションプリンタ）は、家庭向けの製品としても企画されることが多くなっており、こうした製品において低価格を実現する為には、電源のコストも抑えつつ複合機能の同時動作をどう実現していくかが課題となっている。
【０００８】
本発明の課題は、以上の事情に鑑み、少なくとも画像読み取り手段と、画像記録手段を有する画像処理装置において、画像読み取りと画像記録動作をバランスよく制御し、これにより記録品質を低下させることなく消費電力を低減でき、動作に必要な電源容量を削減し、画像処理装置の低価格化あるいは小型軽量化を実現することにある。
【課題を解決するための手段】
【０００９】
本発明は、上記課題を解決するため、共通の電源部の電源供給により動作する画像読み取り手段と画像記録手段を含む画像処理装置の制御方法、画像処理装置、および画像処理装置の制御プログラムにおいて、前記画像記録手段で記録すべき画像データの記録密度を検出し、前記の記録密度の検出結果と、所定のしきい値との比較結果に応じて、前記記録密度の検出結果が前記しきい値より大きい場合に画像記録手段の記録消費電力を低減させる記録消費電力低減処理を実行させ、前記画像記録手段による画像記録中に前記画像読み取り手段による画像読み取りが同時に実行される場合は、前記しきい値を前記画像読み取り手段による画像読み取りが同時に実行されない場合に用いる第１の値からより小さい第２の値に変更し、記録消費電力がより小さくなるよう制御する構成を採用した。
【発明の効果】
【００１０】
本発明では、上記の記録すべき画像データの記録密度の検出結果と、所定のしきい値を比較し、記録密度の検出結果がしきい値より大きい場合に画像記録手段の記録消費電力を低減させる記録消費電力低減処理を実行するとともに、画像記録手段による画像記録中に画像読み取り手段による画像読み取りが同時に実行される場合は、しきい値を画像読み取り手段による画像読み取りが同時に実行されない場合に用いる第１の値からより小さい第２の値に変更し、記録消費電力がより小さくなるよう制御する構成により、画像読み取り手段と画像記録手段を有する画像処理装置において、画像読み取りと画像記録動作をバランスよく制御し、これにより記録品質を低下させることなく消費電力を低減でき、動作に必要な電源容量を削減し、画像処理装置の低価格化および小型軽量化を実現することが可能となる。
【発明を実施するための最良の形態】
【００１１】
以下、本発明を画像読み取り手段と画像記録手段を有するマルチファンクションプリンタ（ＭＦＰ）に適用した実施例を示す。
【実施例１】
【００１２】
図１に本発明を採用したマルチファンクションプリンタの構成例を示す。図１において符号１００は、記録装置の制御を行なう電気部品が実装されているコントロールボード、１０１はＳＹＳＴＥＭ  ＬＳＩであり、ＣＰＵ＿ＣＯＲＥ１０２とインターフェース１１０を介してホストコンピュータ１１８やデジタルカメラ１１９とデータの送受信を行なうインターフェース制御回路１０３、ＲＡＭ１０９に備えられた受信バッファおよびプリントバッファに対してデータのリード／ライト制御を行なうデータ制御回路１０４、プリントデータの生成を行なうプリントデータ生成回路１０５、生成されたプリントデータの記録ヘッド１１５へのデータ転送や記録ヘッドのインクの吐出制御を行なうヘッド制御回路１０６、記録ヘッド１１５を搭載したキャリッジを走査させるキャリッジモータおよび被記録媒体の給排紙を行なう搬送モータと給排紙用モータや記録ヘッド１１５のクリーニング等メンテナンス用モータの駆動を制御するモータ制御回路１０７、プリンタを制御するプログラムが格納されているＲＯＭ１０８などから構成されている。
【００１３】
後述の本発明を実施するための制御手順は、ＣＰＵ＿ＣＯＲＥ１０２のプログラムとしてたとえばＲＯＭ１０８に格納されて供給される。
【００１４】
また、本実施例のＭＦＰでは、画像読み取りのためのイメージセンサ、原稿とイメージセンサの相対移動を行なうためのスキャンモータおよびその駆動系などから構成された画像読み取り機構１１６、および画像読み取り機構１１６の画像処理制御や、スキャンモータ制御等様々な制御を行なう画像読み取り機構制御回路１１７が設けられている。
【００１５】
画像記録においては、インターフェース１１０（セントロニクス（ＩＥＥＥ１２８４）ポートやＵＳＢ）を介してホストコンピュータ１１８やデジタルカメラ１１９から画像データ等を受信すると、ＳＹＳＴＥＭ  ＬＳＩ  １０１内のインターフェース制御回路１０３からデータ制御回路１０４によって、ＲＡＭ１０９に割り当てられた受信バッファに受信データが一旦格納される。受信バッファに格納された受信データはコマンド解析が行われ、実際の画像データはプリントデータ生成回路１０５によってプリントデータ処理が行われてからＲＡＭ１０９に割り当てられたプリントバッファに蓄えられる。そして、プリントバッファに必要量のデータが蓄えられたところでヘッド制御回路１０６によって所定のタイミングでプリントバッファからプリントデータが読み出され、記録ヘッド１１５に転送される。
【００１６】
さらに記録ヘッド１１５が主走査方向に移動する過程で、ヘッド制御回路１０６の制御によって記録ヘッド１１５に対して駆動パルスが与えられ、これにより記録ヘッド１１５のプリント動作が行われ、被記録媒体（たとえば記録用紙）に画像が形成される。記録ヘッド１１５の走査および被記録媒体の搬送は、駆動制御回路１０７によってキャリッジモータおよび搬送モータ、給排紙用モータ１１４をモータドライバ１１３を介して駆動することによって行なわれる。
【００１７】
なお、上記の画像読み取り機構１１６および画像記録系は、たとえば図２に示したように１台のＭＦＰに一体化される。
【００１８】
上述した各部に対して、電源部１２０から電源供給が行なわれる。本装置がたとえば家庭向けなどの用途に規格されたものである場合には、電源部１２０については小型軽量化、あるいはコストダウンが重視され、オフィス用などの製品に比較してある程度、電源供給能力が限定された仕様となる。
【００１９】
本実施例の課題は、このように電源部１２０の電源供給能力が限定されている構成においても、画像読み取りと画像記録動作をバランスよく制御し、これにより記録品質を低下させることなく消費電力を低減でき、限られた電源部１２０の電源供給能力範囲内でも良好に装置を動作させることにある。
【００２０】
本実施例では、画像読み取り機構１１６が画像読み取り中であるか否かに応じて、記録ヘッド１１５を含む記録手段側の記録動作を制御する。その際、画像読み取り機構１１６が画像読み取り中である場合には電源部１２０の電源負荷が小さくなるように記録動作を制御し、また、画像読み取り停止を検出した場合は電源負荷が上記電源負荷低減制御の前の通りのものとなるよう記録動作を制御する。
【００２１】
より詳細には、本実施例では１走査分の記録領域に対応するプリントバッファの領域を複数に分割して複数ブロックを形成し、記録走査の開始に先立って各ブロックにおける記録デューティを検出する。一方、これらのブロックを単位として、あらかじめ電源部１２０の電源供給能力に応じて記録走査時において駆動可能な記録デューティの設定値（以下単にしきい値とも記す）を設定しておき、このデューティ設定値と各ブロックで検出された記録デューティとを比較する。
【００２２】
そして、このデューティ設定値をブロックで検出された記録デューティが超えた場合（しきい値以上の場合）、記録で消費する電力を抑制する制御を行なう。たとえば、画像読み取り動作中である事を検出した場合、デューティ設定値（しきい値）を小さくすることにより抑制した電力を画像読み取り手段に供給するよう制御する。
【００２３】
ここで図３により、記録デューティの検出および制御方法について説明する。ここでは記録装置が有するインクの中でＹ（イエロー）、Ｍ（マゼンダ）、Ｃ（シアン）を使用したカラー記録を行ない、前述の記録ヘッド１１５は、各色について解像度は６００ＤＰＩ、２５６ノズルを有するものとする。
【００２４】
図３は、記録ヘッド（上述の１１５）のＹ（イエロー）、Ｍ（マゼンダ）、Ｃ（シアン）の各２５６ノズルが行なう１ライン分の記録スキャンの様子を示している。
【００２５】
本実施例では、たとえば、このＹのノズル幅分×１スキャンを複数ブロックＹ−１…Ｙ−ｎ（３０１〜３０３）に分割して、これらＹ−１…Ｙ−ｎの各ブロック単位で記録デューティーを検出する。本実施例では実際にインクの吐出を行なうプリントデータがバイナリデータで‘１’であるものとし、したがって、この場合はプリントデータが‘１’である画素をカウントする。
【００２６】
なお、本実施例では３０１〜３０３に示すように縦２５６ドット×横幅２２４ドットのブロックに分割し、記録デューティを検出しているが、このブロックの領域は縦２５６ドット×横幅２２４ドットである必要はなく、記録デューティの変化が電源部１２０の負荷として現れるようあらかじめ決めた単位であればよい。また、カウントするブロックのブロックサイズをさらに小さくして、縦２５６ドット×横幅２２４ドットの範囲内の小ブロックのカウント値を足し合わせて、記録デューティを検出する方法をとってもよい。
【００２７】
ＭとＣのノズルの記録範囲も同様にそれぞれ符号３０４〜３０６、３０７〜３０９のようにブロック分割されており、これら全色に関して記録デューティの検出を行なう。このデューティ検出は記録するスキャンの開始前に行なわれる。なお、Ｙ、Ｍ、Ｃのいずれか１色（ないし２色）に関して記録デューティを検出することにより処理を簡略化してもよい。
【００２８】
次に、図４により、記録デューティの検出値と記録デューティ設定値の比較に基づき、記録デューティを設定する設定処理につき説明する。
【００２９】
各縦２５６ドット×横幅２２４ドットのブロック（４０１）について、Ｙ、Ｍ、Ｃの記録デューティ（吐出ドットのカウント値）を足し合わせ、記録デューティ検出値Ｙｎ＋Ｍｎ＋Ｃｎ（４０２）を得る。この記録デューティ検出値Ｙｎ＋Ｍｎ＋Ｃｎ（４０２）とブロック単位デューティ設定値４０３を比較手段（４０４）で比較する。なお、この比較手段（４０４）は、ハードウェア回路、あるいはＣＰＵ＿ＣＯＲＥ１０２のソフトウェアにより構成できる。
【００３０】
このブロック単位デューティ設定値４０３は、電源部１２０の供給能力（供給仕様）、装着できる記録ヘッド１１５の消費電力、モータの消費電力などに基づいて決定するが、本実施例では少なくとも画像読み取り機構１１６が画像読み取りを行なっていない場合に用いるもの（第１の値）と、画像読み取りを行なっている場合に用いるもの（第２の値）の２つを用意し、画像読み取り機構１１６が画像読み取りを行なっている場合に用いるブロック単位デューティ設定値４０３（第２の値）の方が画像読み取りを行なっていない場合に用いるもの（第１の値）よりも小さく決められている。
【００３１】
これらのブロック単位デューティ設定値４０３は、ＲＯＭなどに格納した設定値として固定的にあらかじめ決めておいてもよいが、たとえば記録装置の電源オン時や記録ヘッドの装着時に（たとえば自動検出した記録ヘッドの品種、具体的にはその電源消費量の仕様など）に応じて動的に設定するようにしてもよい。
【００３２】
そして、各ブロックにおいて、ブロック単位デューティ設定値４０３と、検出した記録デューティ値Ｙｎ＋Ｍｎ＋Ｃｎ（４０２）を比較して、記録デューティ値Ｙｎ＋Ｍｎ＋Ｃｎ（４０２）がブロック単位デューティ設定値４０３よりも大きい場合は、制御フラグを‘１’にし、また記録デューティ値Ｙｎ＋Ｍｎ＋Ｃｎ（４０２）がブロック単位デューティ設定値４０３よりも小さい場合は‘０’とする。
【００３３】
図３および図４の１スキャンの印字において１スキャンの１部の領域でも負荷が電源部１２０の供給量を上まわれば、記録ヘッド１１５への供給電圧やモータへの供給電圧が低下してしまい、結果として記録する画像の劣化や誤動作の原因となり得る。
【００３４】
したがって、１スキャン分のブロックにおいて、上記の制御フラグが１つでも‘１’となっていたら、電源部１２０の負荷を軽減するために記録制御を変更する。たとえば、記録すべきデータを間引く処理、記録すべきデータの間引き率を増やす処理、被記録媒体の同一領域に対する記録走査回数を増やす処理、といった記録消費電力低減処理を行なう。
【００３５】
そして、本実施例では、画像読み取り機構１１６が画像読み取りを行なっている場合は、上記のブロック単位デューティ設定値４０３の切り換えを行なうことによって、より小さい記録デューティで記録消費電力低減処理が開始されるように制御する。
【００３６】
図５に、上記の制御の例をフローチャートとして示す。図５の制御はＣＰＵ＿ＣＯＲＥ１０２のソフトウェアとして構成し、たとえばＲＯＭ１０８などに格納しておく。
【００３７】
図５において、印刷データが用意され（たとえばホストコンピュータ１１８やデジタルカメラ１１９からの画像データ入力による）、プリンタの印刷動作が開始（ステップＳ５０１）されると、画像読み取り機構１１６が動作中かどうかを検出する（ステップＳ５０２）。
【００３８】
ここで画像読み取り機構１１６が動作中であった場合、ブロック単位デューティ設定値４０３を画像読み取りを行なっていない場合に用いるもの（第１の値）から画像読み取りを行なっている場合に用いるもの（第２の値）に変更する（ステップＳ５０３）。上述のように、この第２の値は第１の値より小さい値である。一方、画像読み取り機構１１６が動作中でない場合は、ステップＳ５０３をスキップしてステップＳ５０４に進む。
【００３９】
ステップＳ５０４では、前記各ブロック単位での記録デューティ検出値４０２とブロック単位デューティ設定値４０３の比較を行なう。ここでは、１スキャン内に（単位ブロックにおける記録デューティ検出値≧前記単位デューティ設定値４０３）となるブロックが１つでも存在するか否かを判定する。
【００４０】
そして、１スキャン内に（単位ブロックにおける記録デューティ検出値≧単位デューティ設定値４０３）となるブロックが１つでも存在する場合は、記録デューティを抑える印刷（記録）動作を実行し、電源への負荷を抑える（ステップＳ５０５）。１スキャン内に（単位ブロックにおける記録デューティ検出値≧単位デューティ設定値４０３）となるブロックが無ければ、印刷モードを変更せず通常の印刷を行なう（ステップＳ５０６）。
【００４１】
ステップＳ５０５において、記録デューティ検出値が単位デューティ設定値４０３よりも大きい場合に行なう記録制御は、ブロック単位デューティ設定値４０３が画像読み取りを行なっていない場合に用いるもの（第１の値）であるか画像読み取りを行なっている場合に用いるもの（第２の値）であるかによって同一であってもよいが、第１、第２のいずれの値が用いられているかによって、異なる記録制御であってもよい。
【００４２】
たとえば、記録すべきデータの間引率を変更する例では、ステップＳ５０４において記録デューティ検出値が単位デューティ設定値４０３の第１の値より大きい場合には、ステップＳ５０５で記録すべきデータを間引く割合を２５％とし、一方、記録デューティ検出値が単位デューティ設定値４０３の第２の値より大きい場合には、記録すべきデータを間引く割合を４０％まで増やす処理を行なう。また、同一記録領域に対する主走査記録の回数を制御する例では、ステップＳ５０４において記録デューティ検出値が単位デューティ設定値４０３の第１の値より大きい場合には、被記録媒体の同一記録領域に対して２回の主走査記録を行なうが、記録デューティ検出値が単位デューティ設定値４０３の第２の値より大きい場合には３回の主走査記録を行なうよう制御する。
【００４３】
なお、図５の制御は、たとえば、記録動作開始時（１ページ単位ごと）に行なえばよい。また、記録動作開始時（１ページ単位ごと）のタイミングで画像読み取り機構１１６が非動作であることが検出された場合には、ブロック単位デューティ設定値４０３として読み取りが行なわれていない場合に用いる第１の値を設定する。
【００４４】
上記のように、本実施例では、１走査分の記録領域を複数に分割して複数ブロックを形成し、各ブロックごとに記録デューティを検出し、あらかじめ定めたブロック単位デューティ設定値（第１または第２の値）と比較し、１走査ライン中に１つでもブロック単位デューティ設定値を超えるブロックがあった場合は、所定の記録消費電力低減制御を行なうようにしている。
【００４５】
そして、画像読み取り機構が画像読み取り中である場合はブロック単位デューティ設定値を画像読み取り機構が画像読み取りを行なっていない場合に用いる第１の値からより小さい第２の値に切り換え、このより小さいブロック単位デューティ設定値をしきい値として記録消費電力低減制御が起動するよう制御する。これにより、画像読み取り機構が動作しても、記録消費電力の低減により装置全体が必要とする電源容量を小さく抑えることができ、これにより電源部の製造コストを下げ、また電源部の小型軽量化が可能となり、ひいては装置全体の低価格化あるいは小型軽量化を実現することができる。
【００４６】
さらに、本実施例では、ブロック単位デューティ設定値の第１の値によって起動される記録消費電力低減制御と、より小さいブロック単位デューティ設定値の第２の値によって起動される記録消費電力低減制御とでは、第２の値によって起動される記録消費電力低減制御の方がより消費電力低減効果が高くなる構成を採用しており、これによって、より大きな記録消費電力低減効果を得ることができ、また、装置の動作中に画像読み取り系あるいは画像記録系の誤動作などの不具合を発生させる問題を確実に回避することができる。
【００４７】
以上のようにして、本実施例によれば、画像読み取り機構１１６が動作中／非動作中にかかわらず、画像読み取りと画像記録動作をバランスよく制御し、これにより記録品質を低下させることなく消費電力を低減でき、動作に必要な電源容量を削減し、画像処理装置の低価格化あるいは小型軽量化を実現することができる。
【００４８】
さらに、記録装置の動作をより確実にするために、１主走査記録動作単位で画像読み取り機構１１６が動作中かどうかを検出するようにしてもよい。このようにして、電力負荷が大きい記録データを記録している途中で画像読み取り機構１１６が動作した場合にも、さらに消費電力を下げることができる。
【００４９】
なお、電力負荷を減らす制御としては、以上では記録データの間引き率の変更、同一領域の記録走査回数の変更などを例示したが、複数モータの同時駆動数を減らす制御、あるいは他の何らかの公知のより低消費電力な印刷モードに切り換える、などの手法が考えられる。
【産業上の利用可能性】
【００５０】
本発明の方法、装置、および制御プログラムは、共通の電源部の電源供給により動作する画像読み取り手段と画像記録手段を含む画像処理装置であれば、上記のようなマルチファンクションプリンタにかかわらず、どのような装置であっても適用することができる。また、本発明の制御プログラムは、画像処理装置の出荷時からＲＯＭに格納しておく他、種々の外部記憶媒体（ＣＤＲＯＭ、フレキシブルディスクなど）からホスト装置に供給することができ、あるいは任意のサーバからネットワーク経由でホスト装置に供給することができる。
【図面の簡単な説明】
【００５１】
【図１】本発明を採用した画像処理装置（ＭＦＰ）の構成例を示したブロック図である。
【図２】画像処理装置（ＭＦＰ）の一般的な外観構成例を示した斜視図である。
【図３】本発明における記録デューティの検出単位を示した説明図である。
【図４】本発明における記録デューティの比較処理を示した説明図である。
【図５】本発明における記録制御の流れを示したフローチャート図である。
【符号の説明】
【００５２】
１００  コントロールボード
１０１  ＳＹＳＴＥＭ  ＬＳＩ
１０２  ＣＰＵ  ＣＯＲＥ
１０３  インターフェース制御回路
１０４  データ制御回路
１０５  プリントデータ生成回路
１０６  ヘッド制御回路
１０７  モータ制御回路
１０８  ＲＯＭ
１０９  ＲＡＭ
１１０  インターフェース
１１３  モータドライバ
１１４  モータ
１１５  記録ヘッド
１１６  画像読み取り機構
１１７  画像読み取り機構制御回路
１１８  ホストコンピュータ
１１９  デジタルカメラ
１２０  電源部
２００  マルチファンクションプリンタ
２０１  スキャナ機構
２０２  プリンタ機構
【図１】
2006109280.tif 000003
【図２】
2006109280.tif 000004
【図３】
2006109280.tif 000005
【図４】
2006109280.tif 000006
【図５】
2006109280.tif 000007
【手続補正書】
【提出日】平成17年7月20日(2005.7.20)
【手続補正１】
【補正対象書類名】明細書
【補正対象項目名】００１８
【補正方法】変更
【補正の内容】
【００１８】
上述した各部に対して、電源部１２０から電源供給が行なわれる。本装置がたとえば家庭向けなどの用途に企画されたものである場合には、電源部１２０については小型軽量化、あるいはコストダウンが重視され、オフィス用などの製品に比較してある程度、電源供給能力が限定された仕様となる。
【手続補正２】
【補正対象書類名】明細書
【補正対象項目名】００２２
【補正方法】変更
【補正の内容】
【００２２】
そして、このデューティ設定値をブロックで検出された記録デューティが超えた場合（しきい値以上の場合）、記録で消費する電力を抑制する制御を行なう。さらに、画像読み取り動作中である事を検出した場合、デューティ設定値（しきい値）を小さくすることにより抑制した電力を画像読み取り手段に供給するよう制御する。